(57)【要約】      （修正有）【課題】糞を受け止める部分を従来よりも広くしながらも、携帯性を損なうことなくコンパクトに構成可能であり、しかも飼い主が屈み込む等の大きな動作をすることなく糞を始末することが可能なペット用糞取り器を提供する。【解決手段】ペット用糞取り器１は、動物の糞を受けて回収する糞取り器であって、伸縮可能な柄１０と、柄１０に対して角度可変に取り付けられると共に、折畳み可能に設けられた台部２０と、台部２０の一側辺に沿って設けられたクリップ３０とにより構成した。台部２０は一枚の薄い樹脂プレートで形成され、折り曲げ可能とするために、ミシン目２１が設けられている。【選択図】図１
0003202260.tif 000002
【実用新案登録請求の範囲】
【請求項１】
動物の糞を受けて回収する糞取り器であって、
伸縮可能な柄と、
柄に対して角度可変に取り付けられると共に、折畳み可能に設けられた台部と、
台部の一側辺に沿って設けられたクリップとにより成るペット用糞取り器。
【考案の詳細な説明】
【技術分野】
【０００１】
本考案は犬等のペットの糞を収容して持ち帰るための、ペット用糞取り器に関するものである。
【背景技術】
【０００２】
ペットとして犬を飼う場合、毎日散歩に連れていく必要がある。散歩中の犬の糞の後始末は飼い主が行う必要があり、一般的な糞の後始末方法は、地面に排泄させた後、スコップ等で拾ってビニール袋に入れて持ち帰るというものである。
【０００３】
しかし、かかる方法では地面を汚すばかりでなく、手元近くで糞を扱う必要があるので不快であった。このような不快感をなくすために、種々のペット用糞採り器が提案されている。例えば、グリップのついた柄の先端にレバー操作で開閉するバケットを設けたもの（特許文献１）や組立式のスコップ（特許文献２）など種々のものが考案されている。
【先行技術文献】
【特許文献】
【０００４】
【特許文献１】特開平８−１７２９６３号公報
【特許文献２】特開２００４−２４２００号公報
【考案の概要】
【考案が解決しようとする課題】
【０００５】
ペット用糞採り器は種々考案されているが、いずれもペットの糞を地面に落下させないために、糞を受け止める部分を大きくすると携帯が困難となり、他方で携帯性を保つために糞を受け止める部分を小さくすると、糞の受け止め操作が困難になるという欠点を有する。
【０００６】
また容器を糞の落下位置に合わせるために、人が腰を低く落とす動作が必要な場合もあり、高齢者には負担が大きい場合も多かった。
【０００７】
この考案は上記従来の欠点を解決するためになされたものであり、その目的は、糞を受け止める部分を従来よりも広くしながらも、携帯性を損なうことなくコンパクトに構成可能であり、しかも飼い主が屈み込む等の大きな動作をすることなく糞を始末することが可能なペット用糞取り器を提供することを目的とする。
【課題を解決するための手段】
【０００８】
上記の目的を達成するため本考案は、以下の部材で構成する。
【０００９】
（１）  伸縮可能な柄。
【００１０】
（２）  柄に対して角度可変に取り付けられると共に、折畳み可能に設けられた台部。
【００１１】
（３）  台部の一側辺に沿って設けられたクリップ。
【考案の効果】
【００１２】
上記のように構成される本考案が、如何に作用して課題を解決するかを図面を参照しながら概説する。
【００１３】
図１に示されるように、本考案にかかるペット用糞取り器１は、柄１０、台部２０及びクリップ３０を主な構成要素とし、図９に示すように台部２０の上に紙葉２を載せ、クリップ３０で当該紙葉２を固定して使用するものである。
【００１４】
犬等のペットが散歩中に糞をする際に、糞の落下位置に台部２０を近づけ、糞を台部２０に固定した紙葉２上に落下させることで糞取りを行うものである。
【００１５】
かように紙葉２で糞を回収することから、地面を糞で汚すことがないのである。
【００１６】
しかも、台部２０は図４に示すように、折畳むことが可能であることから、開いた状態では図１に示すように台部２０はその面積が大きくすることが可能であり、したがって大きな紙葉２を載せることが可能となる。つまりは、糞を受け止める部分を大きくすることが可能となる。他方で台部２０を折畳み、しかも図８に示すように柄１０を縮めたうえで畳めば、非常にコンパクトとなり携帯が容易となるのである。
【図面の簡単な説明】
【００１７】
【図１】本考案の斜視図
【図２】図１におけるＡ部拡大図
【図３】台部の取り付け構造を示す説明図
【図４】台部を折畳んだ状態の斜視図
【図５】他の実施例を示す斜視図
【図６】台部を折畳んだ状態の正面図
【図７】柄を縮めた状態の正面図
【図８】柄を畳んだ状態の正面図
【図９】使用状態を示す説明図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
上述の通り本考案にかかるペット用糞取り器１は、柄１０、台部２０及びクリップ３０を主な構成要素とする。以下、各要素につき詳述する。
【００２０】
柄１０は、筒体１１ａ、１１ｂ及び１１ｃから成る多段伸縮式のアームである。これらの筒体１１ａ乃至１１ｃは、望ましくは、アルミニウム等の軽量の金属又は合金によって形成されている。
【００２１】
図７に示すように、筒体１１ａには筒体１１ｂが挿入され、筒体１１ｂには筒体１１ｃが挿入される。なお、本実施形態においては、３段伸縮式を採用しているが、段数は特に限定されず、２段であっても４段以上であってもよい。
【００２２】
また、各筒体１１ａ〜１１ｃの端部付近には、柄１０が収縮している状態、及び、柄１０が伸張している状態をそれぞれ維持するためのロック機構と、それらの状態を解除するためのロック解除機構とが設けられている（共に、図示略）。ロック機構及びロック解除機構としては、様々な構造を採用することができる。ロック機構としては、例えば、一方の筒体に形成された開口に、他方の筒体に設けられた突起を嵌め込む構造が挙げられる。また、ロック解除機構としては、ボタン等を用いて、上記突起を押し出して開口からずらす構造が挙げられる。
【００２３】
上記柄１０の長さは、利用者が立ったままの姿勢で伸ばした柄１０の上端を握った場合に、先端台部２０が地面に達する程度の長さにすることが好ましい。
【００２４】
台部２０は、図１に示されるように一枚の薄い樹脂プレートで形成され、折り曲げ可能とするために、ミシン目２１が設けられている。折り曲げ可能とする方法は、ミシン目を設けること以外でも、図５に示すようにスリット２２を設けるといった方法でもよい。図４は台部２０を、二箇所の折り曲げ部位で折り曲げた状態を示すものである。
【００２５】
台部２０の素材としてはとして、ポリプロピレン等の屈曲可能な樹脂を利用可能であるが、別素材としては適度の厚みをもつ板紙でも構わない。板紙は表面を樹脂フイルムで覆ったものが耐水性があって好ましい。その他耐水性を有し、繰り返し折り曲げても破損しない耐久性を有する素材であれば任意のものを採用できる。
【００２６】
柄１０と台部２０は、連結部材４０により角度可変に連結されている。
【００２７】
図２に示すように、連結部材４０は先端キャップ１２及び筒体１１ｃを貫通する軸部４１により、柄１０に枢着されている。これにより、台部２０は、柄１０に対して図３における実線で示された位置から仮想線で示された位置まで、角度可変に支持される。
【００２８】
連結部材４０及び先端キャップ１２には、台部２０の使用状態及び収納状態をそれぞれ維持するためのロック機構と、それらの状態を解除するためのロック解除機構とが設けられている（いずれも、図示略）。ロック機構及びロック解除機構としては、様々な構造を採用することができる。ロック機構としては、例えば、連結部材４０に形成された開口に、先端キャップ１２に設けられた突起を嵌入する構造が挙げられる。また、ロック解除機構としては、ボタン等を用いて、上記突起を押し出して開口からずらす構造が挙げられる。
【００２９】
連結部材４０には、図３に示すように、一方端に溝４２が設けられており、この溝４２に台部２０を嵌合したうえで、図２に示すように軸部４３で軸着される。また、連結部材４０の他方端は、二個の挟持片４４，４４が延設されており、当該挟持片４４，４４で先端キャップ１２及び筒体１１ｃを挟持するものである。
【００３０】
図６乃至図８は、本考案にかかるペット用糞取り器１を、携帯可能な状態に折畳む工程を示すものである。図６は台部２０を折畳んだ状態を示しており、次いで柄１０を縮めると図７に示す状態に至り、柄１０を畳むと図８に示す携帯可能な状態に成るものである。
【００３１】
図２に示すようにクリップ３０は、台部２０の一側辺に沿って、台板２０上に取り付けられる取付板３１と、取付板３１に取付けたばね（図示せず）によって挟持力を備えた挟持部材３２とから成る。むろんこれは一例であり、台部２０に紙葉２を押圧できるものであれば、任意の構造のものを採用できる。
【符号の説明】
【００３２】
１０・・柄
２０・・台部
３０・・クリップ
４０・・連結部材
【図１】
0003202260.tif 000003
【図２】
0003202260.tif 000004
【図３】
0003202260.tif 000005
【図４】
0003202260.tif 000006
【図５】
0003202260.tif 000007
【図６】
0003202260.tif 000008
【図７】
0003202260.tif 000009
【図８】
0003202260.tif 000010
【図９】
0003202260.tif 000011